(57)【要約】【課題】溝路の側壁の上端面と、支持枠の水平縁の下面との間に隙間が発生せず、これによってコンクリート層のひび割れ発生を防止し得るようにした溝路の通水被覆構造を提供する。【解決手段】少なくとも一方に水平縁７が連成された立ち上がり縁６からなる左右の支持枠８，８の、その水平縁７の外端を溝路１の側壁４の内側面１１ａに近接させて配設するとともに、左右の支持枠８，８を連結する梁部材１０の左右両端部を溝路１の左右の側壁４，４の上端面に夫々乗載し、溝路１の周囲上部に敷設されるコンクリート層１８を、支持枠８の水平縁７上及び該水平縁７の外端が近接する溝路１の側壁４の上端面に亘って連続状に形成するようにした。これにより、コンクリート層１８が溝路１の側壁４の上端面に接合され、隙間ｐ（図１４参照）が発生することがない。【選択図】図１
2008190248.tif 000002
【特許請求の範囲】
【請求項１】
少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結されてなる溝路用通水被覆装置を備えるものであって、
前記各梁部材が支持枠の水平縁の上面に当接して配設され、かつ水平縁の外端が溝路の側壁の内側面に近接させて配設されるとともに、各梁部材の左右両端部が溝路の左右の側壁の上端面に夫々乗載されてなり、溝路の周囲上部に敷設されるコンクリート層が、支持枠の水平縁上及び該水平縁の外端が近接する溝路の側壁の上端面に亘って連続状に形成されていることを特徴とする溝路の通水被覆構造。
【請求項２】
梁部材が、水平縁を備えてなる支持枠の立ち上がり縁に形成された挿通口に挿通されているとともに、水平縁の外端から上方に立ち上げられた連結縁が梁部材に接合されていることを特徴とする請求項１記載の溝路の通水被覆構造。
【発明の詳細な説明】
【技術分野】
【０００１】
本発明は、排水溝等の溝路の上部を通水可能に被覆する溝路の通水被覆構造に関する。
【背景技術】
【０００２】
Ｕ字溝ブロック等の上部が大きく開放された溝路部材を用いて構築される溝路は、従来、その通水性を確保するために、帯板状金属杆を格子状に組み付けたグレーチング蓋からなる通水溝蓋によって上部開口を遮蔽するようにしていた。しかしながら、近年、化粧タイルや化粧ブロックを敷設したカラー舗装路面が多くなり、このようなカラー舗装路面と調和する意匠性に優れた溝蓋が要求されるようになったため、その一形態として内部に化粧タイルや化粧ブロック等の舗装材を充填し得る溝蓋が種々提供されている。
【０００３】
このような溝蓋は、箱枠状に形成された蓋本体を備えており、この箱枠状の蓋本体内に化粧タイルや化粧ブロック等の舗装材が充填されるが、その充填に際して、蓋本体内に化粧タイルや化粧ブロックが整然と収まるように、蓋本体内からはみ出す化粧タイルや化粧ブロックの余剰部分を切除しなければならないため、その加工に手間が掛かる上、施工後においても、蓋本体内に充填された舗装材と、溝路の周囲上面に敷設された舗装材との間に、蓋本体と蓋受枠の目地が露出するため、該目地によってカラー舗装路面の意匠的な連続性が分断されてしまうという問題点があった。
【０００４】
一方、このような問題点が生じない構成を備えた排水溝構造も提案されている。このものは、図１３に示すように、断面略Ｕ字形に形成された溝路部材ａの両側壁ｂ，ｂ上に載置して溝路ｊの中央へ向けて延出させた水平縁ｃと該水平縁ｃの内側端部に立設した垂直縁ｄとからなる左右一対の支持枠ｅ，ｅと、該両支持枠ｅ，ｅを連結する梁部材ｆとを備えており、前記両支持枠ｅ，ｅの垂直縁ｄ，ｄ間に形成される通水部内に通水溝蓋ｇを配設するようにしている（例えば、特許文献１参照）。かかる構成にあっては、溝路の周囲にコンクリート層ｍを介して敷設される化粧タイルや化粧ブロック等の舗装材ｈを、両支持枠ｅ，ｅの水平縁ｃ，ｃ上で垂直縁ｄ，ｄ際まで連続して敷設することができるため、従来の箱枠状の蓋本体を用いるカラー舗装用の溝蓋のように、蓋本体内からはみ出す化粧タイルや化粧ブロックの余剰部分を切除する必要がなく、また、敷設した舗装材ｈの、両側壁ｂ，ｂ上に対応する部分に支持枠ｅ，ｅの目地が露出しないため、カラー舗装路面の意匠的な連続性が損なわれないという利点がある。
【特許文献１】特開２００４−１６９３７５号公報
【発明の開示】
【発明が解決しようとする課題】
【０００５】
ところで、Ｕ字溝ブロックからなる溝路部材ａを一列状に並べて地中に埋設する施工においては、各溝路部材ａの両側壁ｂ，ｂの上端面を施工設定レベルに完全に一致させることは極めて難しく、両側壁ｂ，ｂの上端面が施工設定レベルに対して上下に多少ずれる寸法誤差が生じるのは避けられない。このため、上述した特許文献１に開示された構成のように、支持枠ｅ，ｅの水平縁ｃ，ｃを溝路部材ａの両側壁ｂ，ｂ上に載置する構成にあっては、図１４に示すように、側壁ｂの上端面と水平縁ｃの下面との間に前記寸法誤差に起因して数ｍｍ乃至１０ｍｍ程度の隙間ｐが発生することとなるのであるが、該隙間ｐが狭いため、舗装材ｈの施工に際して打設されるコンクリートが該隙間ｐに完全に充填されることはなく、施工完了後も該隙間ｐが残存した状態となる。そして、このように側壁ｂの上端面と支持枠ｅの水平縁ｃとの間に隙間ｐが残存している状態にあっては、支持枠ｅ，ｅ上にコンクリート層ｍを介して敷設された舗装材ｈ上をトラック等の重量の大きなものが通過した場合に、その荷重によって隙間ｐ上のコンクリート層ｍが沈み込んで該コンクリート層ｍにひび割れが発生するという問題点があった。
【０００６】
また、上記のようなひび割れ発生を防止するために、溝路部材ａの上部周囲に配設される鉄筋等からなる芯材ｋ（図１３参照）を両支持枠ｅ，ｅの水平縁ｃ，ｃ上まで延出させてその先端部を垂直縁ｄ，ｄに溶接するとともに、コンクリートを打設して、この芯材入りのコンクリート層ｍを水平縁ｃ，ｃ上に固着させることによって、コンクリート層ｍの強度を高めるようにしている。しかしながら、このように鉄筋等からなる芯材ｋを施工現場において水平縁ｃ，ｃ上まで配筋し、かつその先端部を垂直縁ｄ，ｄに一本づつ溶接するのは、手間と費用が掛かる上、施工期間も長くなるという問題点があった。
【０００７】
本発明は、溝路の側壁の上端面と、支持枠の水平縁の下面との間に隙間が発生せず、これによってコンクリート層のひび割れ発生を防止し得るようにする一方、梁部材と、支持枠の水平縁との接合強度を高めて、トラック等の大きな荷重に耐え得るようにした溝路の通水被覆構造を提供することを目的とするものである。
【課題を解決するための手段】
【０００８】
本発明は、少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結されてなる溝路用通水被覆装置を備えるものであって、前記各梁部材が支持枠の水平縁の上面に当接して配設され、かつ水平縁の外端が溝路の側壁の内側面に近接させて配設されるとともに、各梁部材の左右両端部が溝路の左右の側壁の上端面に夫々乗載されてなり、溝路の周囲上部に敷設されるコンクリート層が、支持枠の水平縁上及び該水平縁の外端が近接する溝路の側壁の上端面に亘って連続状に形成されていることを特徴とする溝路の通水被覆構造である。
【０００９】
ここで、両支持枠の立ち上がり縁を溝路の上部の略中央で対向させる場合には、両立ち上がり縁に梁部材を挿し通す挿通口を形成することが好ましい。また、両支持枠の立ち上がり縁を溝路の上部の側部に偏倚した位置で対向させる場合には、少なくとも溝路を構成する一方の側壁上に位置する立ち上がり縁に対向する他方の立ち上がり縁に、梁部材を挿し通す挿通口を形成することが好ましい。さらに、各梁部材は、支持枠の水平縁の上面に当接させた状態で溶接等の接合手段によって、該水平縁の上面に強固に接合することが好ましい。これにより、支持枠の水平縁の上面に当接する各梁部材の当接状態が保持されるとともに、梁部材と支持枠との相互の位置ずれを防止することができる。また、梁部材の両端部から、溝路の側壁外面に沿うようにして固定杆を夫々下方に垂設し、該固定杆に、先端が溝路の外側面に圧接可能な固定螺子を外側方から螺合して、該固定螺子の緊締作用を介して梁部材を溝路の側壁に固定させるようにすることが好ましい。
【００１０】
また、前記梁部材が、水平縁を備えてなる支持枠の立ち上がり縁に形成された挿通口に挿通されているとともに、水平縁の外端から上方に立ち上げられた連結縁が梁部材に接合されている構成が提案される。
【００１１】
ここで、水平縁の外端から上方に立ち上げられた連結縁は、溶接等の接合手段によって梁部材に強固に接合することが好ましい。
【発明の効果】
【００１２】
本発明は、上述したように、少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結されてなる溝路用通水被覆装置を備えるものであって、前記各梁部材が支持枠の水平縁の上面に当接して配設され、かつ水平縁の外端が溝路の側壁の内側面に近接させて配設されるとともに、各梁部材の左右両端部が溝路の左右の側壁の上端面に夫々乗載されてなり、溝路の周囲上部に敷設されるコンクリート層が、支持枠の水平縁上及び該水平縁の外端が近接する溝路の側壁の上端面に亘って連続状に形成されている溝路の通水被覆構造であるから、溝路の周囲上部に敷設されるコンクリート層を溝路の側壁の上端面に直に固着させることができるため、支持枠の水平縁が溝路の側壁の上端面に載置されることにより生ずる従来の隙間ｐ（図１４参照）が発生せず、これによって該隙間ｐ上のコンクリート層が荷重により沈み込むことによるコンクリート層のひび割れ発生を確実に防止することができる。
【００１３】
一方、梁部材が、水平縁を備えてなる支持枠の立ち上がり縁に形成された挿通口に挿通されているとともに、水平縁の外端から上方に立ち上げられた連結縁が梁部材に接合されている構成にあっては、支持枠の内端が立ち上がり縁の挿通口に挿通された梁部材によって支持されているので、水平縁に上方から荷重が加わると、挿通口の上部口縁を中心にして水平縁の外端を下方に回転させようとするモーメント力が生じるのであるが、該水平縁の外端から上方に立ち上げられた連結縁が梁部材に接合されていることにより、水平縁の外端の接合強度が高められ、前記モーメント力に抗し得る堅牢性を得ることができる。
【発明を実施するための最良の形態】
【００１４】
以下に、本発明の第１実施例を、図１〜図４に基づいて説明する。
溝路１は、図２に示すように、底壁３と左右の側壁４，４とによって断面略Ｕ字状に形成されたＵ字溝ブロックからなる複数の溝路部材２を、地盤の所定深さ位置に一列状に埋設して構築されている。
【００１５】
本発明にかかる溝路の通水被覆構造は、溝路１の上部開口を通水可能に覆う溝路用通水被覆装置５を備えている。この第１実施例の溝路用通水被覆装置５は、図１に示すように、垂直な立ち上がり縁６に水平縁７が連成された左右一対の支持枠８，８を備えており、該両支持枠８，８は、その立ち上がり縁６，６が溝路１の上部の略中央で所定間隔を置いて対向配置され、該両立ち上がり縁６，６間に通水部９が形成されている。また、両支持枠８，８の水平縁７，７の外端は、溝路１の左右の側壁４，４の内側面１１ａ，１１ａに近接させて配設されており、これによって通水部９以外の溝路１の上部開口が、左右の側壁４，４際を僅かに除いて両水平縁７，７で覆われている。両支持枠８，８は、鉄鋼又はステンレス鋼からなる板状の金属材を素材にして形成されており、その長さは、図２に示すように、一列状をなす複数の溝路部材２の長手方向に亘る所定の長さとなっている。尚、各支持枠８の立ち上がり縁６と水平縁７は、図１に示すように、一枚の金属板を断面Ｌ形に屈曲させて形成してもよいし、図示省略するが、二枚の金属板を溶接によって断面Ｌ形となるように接合して形成することも可能である。また、図４に示すように、支持枠８，８の水平縁７，７の外端に、溝路１の側壁４，４の内側面１１ａ，１１ａに沿って垂下する遮蔽縁１４，１４を連成してもよい。これにより、水勾配を付けて構築された溝路１上に溝路用通水被覆装置５を水平に配設する場合に、水下に至るに従って溝路１の側壁４，４の上端面と水平縁７，７の外端の下面との間に次第に生じる上下方向の隙間を遮蔽縁１４，１４によって遮蔽することができる。
【００１６】
左右の支持枠８，８は、図２に示すように、該支持枠８，８の長手方向に所定間隔で配設された複数の梁部材１０によって連結されている。各梁部材１０は強度に優れた金属製の角パイプからなり、その長さは、溝路１を構成する左右の側壁４，４の外側面１１ｂ，１１ｂから若干外方に突出する所定の長さとなっている。各梁部材１０は、支持枠８，８の水平縁７，７の上面に当接して配設され、該支持枠８，８の立ち上がり縁６，６に形成された挿通口１２，１２に挿通した状態で、水平縁７，７または水平縁７，７と挿通口１２，１２の口縁とに溶接によって強固に接合されている。そして、このように左右の支持枠８，８を移動不能に連結した各梁部材１０の左右両端部が、溝路１を構成する左右の側壁４，４の上端面に直接乗載されている。
【００１７】
また、立ち上がり縁６，６間に形成された通水部９には、金属製通水被覆部材１３が配設されている。該金属製通水被覆部材１３は、鉄鋼製、ステンレス鋼製または鋳鉄製のグレーチング蓋からなり、通水部９に露出する前記各梁部材１０の上面に着脱可能に乗載されている。尚、この金属製通水被覆部材１３は、グレーチング蓋以外に、例えば多数の小孔を穿設した天板部を備えた断面伏コ字形の蓋体を用いてもよい。また、該蓋体を多数の小孔が穿設された天板部のみの帯板状とし、左右の立ち上がり縁６，６の内側面上端に溶接によって接合して横架させてもよく、さらに、この天板部のみからなる蓋体と左右の立ち上がり縁６，６とを一体形成することも可能である。また、グレーチング状に形成した金属製通水被覆部材１３を、左右の立ち上がり縁６，６間に配置した状態で溶接によって両立ち上がり縁６，６に一体的に接合してもよい。また、通水部９は、支持枠８，８の立ち上がり縁６，６を近接させて対向配置することによって、図示したものに比して狭幅に形成することにより、金属製通水被覆部材１３を用いない構成とすることも可能である。
【００１８】
前記各梁部材１０の両端部には、溶接によって接合した固定杆１６が、溝路１の側壁４，４の外側面１１ｂ，１１ｂに沿うようにして夫々下方に垂設されており、各固定杆１６には先端が溝路１の側壁４，４の外側面１１ｂ，１１ｂに圧接可能な固定螺子１７が夫々外側方から螺合されている。そして、各固定螺子１７を締め付け方向に螺回操作して、各固定螺子１７の先端部を側壁４，４の外側面１１ｂ，１１ｂに圧接させることにより、その緊締作用を介して、各梁部材１０を溝路１の側壁４，４に固定するようにしている。
【００１９】
そして、このような固定状態において、溝路１の周囲上部に敷設されるコンクリート層１８が、図３に示すように、左右の支持枠８，８の水平縁７，７上及び該水平縁７，７が近接する溝路１の側壁４，４の上端面上に亘って連続状に形成されている。尚、コンクリート層１８は化粧タイル１９とともに溝路１の周囲上部に敷設される舗装材２０を構成するものであり、化粧タイル１９はコンクリートの打設後にその表層面に配設することにより、固結したコンクリート層１８上に貼着されるようにしている。
【００２０】
ここで、施工に際しては、溝路用通水被覆装置５を溝路１の側壁４，４上に載置した後、各固定螺子１７の螺回操作による緊締作用を介して、各梁部材１０を溝路１の側壁４，４に固定する。そして、この固定状態において、固結後にコンクリート層１８となるコンクリートを、溝路１の周囲から溝路１の側壁４，４の上端面及び支持枠８，８の水平縁７，７上に亘って所定厚さで打設する。これにより、溝路１の側壁４，４の上端面にコンクリートが直に打設され、固結後のコンクリート層１８が溝路１の側壁４，４の上端面に直に固着されることとなる。尚、各梁部材１０を溝路１の側壁４，４に固定した後、水平縁７，７の外端と溝路１の側壁４，４の内側面１１ａ，１１ａとの間に生じる間隙１５，１５を、ブチルゴムテープや固練りコンクリート等を用いて遮蔽することにより、該間隙１５，１５からのコンクリートの落下を防止することができる。
【００２１】
かかる構成にあって、溝路１の周囲上部に敷設されるコンクリート層１８を溝路１の側壁４，４の上端面に直に固着させることができるため、支持枠８，８の水平縁７，７が溝路１の側壁４，４の上端面に載置されることにより生ずる従来の隙間ｐ（図１４参照）が発生せず、これによって該隙間ｐ上のコンクリート層１８が荷重により沈み込むことによるコンクリート層１８のひび割れ発生を確実に防止することができる。
【００２２】
また、この第１実施例では、左右の支持枠８，８を、立ち上がり縁６，６に水平縁７，７が夫々連成されたものとし、両支持枠８，８の立ち上がり縁６，６を溝路１の上部の略中央で対向させることにより、該両立ち上がり縁６，６間に形成される通水部９を溝路１の上部の略中央に位置させるようにしたので、溝路１の上部の略中央に該溝路１の開口幅より狭い通水部９を形成することができる。
【００２３】
図５は第２実施例を示し、この第２実施例は、前記第１実施例における両支持枠８，８の立ち上がり縁６，６を溝路１の上部の側部に偏倚した位置で対向させることにより、該両立ち上がり縁６，６間に形成される通水部９を溝路１の上部の側部に位置させるようにしたものである。ここで、一方の支持枠８（図中右側）の水平縁７を広幅とし、該広幅の水平縁７の外端が、一方の側壁４（図中右側）の内側面１１ａに近接させて配設されており、これによって通水部９以外の溝路１の上部開口が、一方の側壁４（図中右側）際を僅かに除いて水平縁７で覆われている。また、他方の支持枠８（図中左側）は立ち上がり縁６のみからなり、該立ち上がり縁６が他方の側壁４（図中左側）の外端上に配設されている。該立ち上がり縁６には下縁が開放されたコ字形の挿通口１２が形成されており、該挿通口１２に挿通された梁部材１０が該挿通口１２の口縁に溶接によって強固に接合されている。そして、各梁部材１０の左右両端部が、溝路１を構成する左右の側壁４，４の上端面に直接乗載されている。その他の構成は前記第１実施例と同じであり、同一部分に同一符号を付して重複する説明を省略する。
【００２４】
かかる構成にあっても、図６に示すように、溝路１の周囲上部に敷設されるコンクリート層１８を、溝路１の一方の側壁４（図中右側）の上端面に直に固着させることができるため、支持枠８の水平縁７が溝路１の側壁４の上端面に載置されることにより生ずる従来の隙間ｐ（図１４参照）が発生せず、これによって該隙間ｐ上のコンクリート層１８が荷重により沈み込むことによるコンクリート層１８のひび割れ発生を確実に防止することができる。
【００２５】
また、この第２実施例では、通水部９を溝路１の上部の最も側部に偏倚した位置に形成することができる。これにより、溝路１が側溝である場合、或いは溝路１の外端側に壁や塀等の立ち上がり部２１がある場合に、道路側に敷設される舗装材２０を支持枠８の広幅の水平縁７上に連続状に敷設するだけでよいため、道路の外端側における舗装材２０の敷設作業を不要とすることができ、施工が容易となる利点がある。
【００２６】
図７は、第３実施例を示し、この第３実施例は、前記第１実施例における両支持枠８，８の外端に、上方に立ち上がる連結縁２２，２２を連成し、該連結縁２２，２２を梁部材１０に接合したものである。ここで、連結縁２２，２２には梁部材１０を挿通し得るコ字形の切欠溝２３，２３が形成されており、該切欠溝２３，２３内に梁部材１０を挿通した状態で、梁部材１０と切欠溝２３，２３とを溶接によって強固に接合するようにしている。その他の構成は前記第１実施例と同じであり、同一部分に同一符号を付して重複する説明を省略する。
【００２７】
かかる構成にあっては、支持枠８，８の内端が立ち上がり縁６，６の挿通口１２，１２に挿通された梁部材１０によって支持されているので、水平縁７，７に上方から荷重が加わると、挿通口１２，１２の上部口縁を中心にして水平縁７，７の外端を下方に回転させようとするモーメント力が生じるのであるが、該水平縁７，７の外端から上方に立ち上げられた連結縁２２，２２が梁部材１０に接合されていることにより、水平縁７，７の外端の接合強度が高められ、前記モーメント力に抗し得る堅牢性を得ることができる。
【００２８】
尚、本発明は上述した各実施例の構成に限定されるものではなく、本発明の要旨を逸脱しない範囲で種々の変更が可能である。例えば、梁部材１０を金属製の角パイプに代えて、図８，図９に示すように、所定の厚みを有する縦向きの金属製帯板杆によって構成することもでき、この場合には角パイプに比してさらに高い強度を得ることができる。また、図１０に示すように、左右の支持枠８，８の立ち上がり縁６，６を、図１に示したものに比して高くするようにしてもよい。これにより、水平縁７，７上に厚いコンクリート層１８を形成する施工に対応し得るものとなる。また、この場合、金属製帯板杆からなる梁部材１０に、通水部９内で上方に突出する突出部２４を一体形成することにより、該突出部２４の上縁でグレーチング蓋等からなる金属製通水被覆部材１３を支持することができる。また、図１１に示すように、金属製帯板杆からなる梁部材１０に、下方に突出する突出部２５を一体形成し、該突出部２５の下縁を水平縁７，７の上面に当接させた状態で、突出部２５と水平縁７，７とを溶接によって強固に接合するようにしてもよい。これにより、立ち上がり縁６，６が高いものと低いものの二種類の支持枠８，８を形成する必要がなく、立ち上がり縁６，６を高く形成した一種類の支持枠８，８のみによって、コンクリート層１８を厚く形成する施工と、薄く形成する施工の何れにも対応し得るものとなる。さらに、図１２に示すように、金属製帯板杆からなる梁部材１０に、通水部９内で上方に突出する突出部２４と、下方に突出する突出部２５とを一体形成するようにしてもよい。これにより、梁部材１０の剛性が高くなり、上方からの荷重による梁部材１０の湾曲を確実に防止することができる。
【図面の簡単な説明】
【００２９】
【図１】第１実施例にかかる溝路用通水被覆装置５を備えた溝路の通水被覆構造の縦断面図である。
【図２】同上の溝路用通水被覆装置５の外観斜視図である。
【図３】同上の溝路の通水被覆構造の施工状態を示す縦断面図である。
【図４】水平縁７，７の外端に遮蔽縁１４，１４が連成された溝路用通水被覆装置５を備えた溝路の通水被覆構造の縦断面図である。
【図５】第２実施例にかかる溝路用通水被覆装置５を備えた溝路の通水被覆構造の縦断面図である。
【図６】同上の溝路の通水被覆構造の施工状態を示す縦断面図である。
【図７】第３実施例にかかる溝路用通水被覆装置５を備えた溝路の通水被覆構造の縦断面図である。
【図８】金属製帯板杆からなる梁部材１０を備えた溝路用通水被覆装置５の平面図である。
【図９】同上の溝路用通水被覆装置５の端部の側面図である。
【図１０】立ち上がり縁６，６が高い溝路用通水被覆装置５を備えた溝路の通水被覆構造の縦断面図である。
【図１１】金属製帯板杆からなる梁部材１０に、下方に突出する突出部２５が一体形成された溝路用通水被覆装置５を備えた溝路の通水被覆構造の縦断面図である。
【図１２】金属製帯板杆からなる梁部材１０に、上方に突出する突出部２４と下方に突出する突出部２５とが一体形成された溝路用通水被覆装置５を備えた溝路の通水被覆構造の縦断面図である。
【図１３】従来の排水溝構造を示す縦断面図である。
【図１４】従来構成の問題点を示す拡大図である。
【符号の説明】
【００３０】
１  溝路
４  側壁
５  溝路用通水被覆装置
６  立ち上がり縁
７  水平縁
８  支持枠
９  通水部
１０  梁部材
１１ａ  内側面
１２  挿通口
１８  コンクリート層
２２  連結縁
ｐ 隙間
【図１】
2008190248.tif 000003
【図２】
2008190248.tif 000004
【図３】
2008190248.tif 000005
【図４】
2008190248.tif 000006
【図５】
2008190248.tif 000007
【図６】
2008190248.tif 000008
【図７】
2008190248.tif 000009
【図８】
2008190248.tif 000010
【図９】
2008190248.tif 000011
【図１０】
2008190248.tif 000012
【図１１】
2008190248.tif 000013
【図１２】
2008190248.tif 000014
【図１３】
2008190248.tif 000015
【図１４】
2008190248.tif 000016